【手続補正書】
【提出日】平成17年12月8日(2005.12.8)
【手続補正１】
【補正対象書類名】特許請求の範囲
【補正対象項目名】全文
【補正方法】変更
【補正の内容】
【特許請求の範囲】
【請求項１】
（ａ）中心を有し、該中心から選択された半径に配置された高温側及び低温側を有する磁気熱交換室を含む、環状容器を準備する段階と、
（ｂ）前記磁気熱交換室内に位置し、流体の流れを通すように構成された磁気熱量材料を準備する段階と、
（ｃ）前記磁気熱交換室の一部分に隣接して位置する磁石を含む回転可能な磁石アセンブリを準備する段階と、
（ｄ）前記磁石アセンブリを回転させて、該磁石アセンブリが回転するにつれて前記磁気熱交換室に磁界強度の周期的変動を発生させる段階と、
（ｅ）熱伝導流体を準備する段階と、
（ｆ）前記磁気熱交換室を通して前記熱伝導流体を流す段階と、
を含むことを特徴とする、熱を伝達させる方法。
【請求項２】
（ａ）中心軸線を有し、複数の磁気熱交換室を含む環状容器であって、各磁気熱交換室は熱伝導流体の流れを通す磁気熱量材料を含み、各磁気熱交換室は高温側及び低温側を有する、前記環状容器、
（ｂ）前記環状容器の中心軸線の回りに回転するように取り付けられた磁石であって、該磁石は、第１の回転位置で、比較的高い磁界強度が前記複数の磁気熱交換室の第１の磁気熱交換室を通過し、比較的低い磁界強度が該複数の磁気熱交換室の第２の磁気熱交換室を通過する磁界を形成し、前記磁石は、第２の回転位置で、比較的低い磁界強度を前記第１の磁気熱交換室に通し、比較的高い磁界強度を前記第２の磁気熱交換室に通す、前記磁石、
（ｃ）高温熱交換器、及び、
（ｄ）第１のパイプによって前記高温熱交換器に結合した軸方向ポートと、第２のパイプによって前記第２の磁気熱交換室の高温側に結合した第１の半径方向ポートと、第２の半径方向ポートとを有するバルブ、
を含むことを特徴とする熱伝達装置。
【請求項３】
（ａ）中心軸線を有し、複数の磁気熱交換室を含む環状容器であって、各磁気熱交換室は熱伝導流体の流れを通す磁気熱量材料を備え、各磁気熱交換室は高温側及び低温側を有する、前記環状容器、
（ｂ）前記環状容器の前記中心軸線の回りに回転するように取り付けられた磁石であって、該磁石は、第１の回転位置で、比較的高い磁界強度が前記複数の磁気熱交換室の第１の磁気熱交換室を通過し、比較的低い磁界強度が該複数の磁気熱交換室の第２の磁気熱交換室を通過する磁界を形成し、前記磁石は、第２の回転位置で、比較的低い磁界強度を前記第１の磁気熱交換室に通し、比較的高い磁界強度を前記第２の磁気熱交換室に通す、前記磁石、
（ｃ）低温熱交換器、及び、
（ｄ）第１のパイプによって前記低温熱交換器に結合した軸方向ポートと、第２のパイプによって前記第１の磁気熱交換室の前記低温側に結合した第１の半径方向ポートと、第２の半径方向ポートとを有するバルブ、
を含むことを特徴とする熱伝達装置。
【請求項４】
（ａ）中心軸線を有し、複数の磁気熱交換室を含む環状容器、
各磁気熱交換室は、熱伝導流体の流れを通す磁気熱量材料を備え、かつ高温側及び低温側を有する、前記環状容器、
（ｂ）前記環状容器の前記中心軸線の回りに回転するように取り付けられた磁石であって、該磁石は、第１の回転位置で、比較的高い磁界強度が前記複数の磁気熱交換室の第１の磁気熱交換室を通過し、比較的低い磁界強度が該複数の磁気熱交換室の第２の磁気熱交換室を通過する磁界を形成し、前記磁石は、第２の回転位置で、比較的低い磁界強度を前記第１の磁気熱交換室に通し、比較的高い磁界強度を前記第２の磁気熱交換室に通す、前記磁石、及び、
（ｃ）軸方向ポートと、回転内側アセンブリと、複数の半径方向ポートとを有するバルブであって、前記回転内側アセンブリは、回転して前記軸方向ポートと１つ又はそれ以上の前記半径方向ポートとの間で流体の流れを結合する、前記バルブ、
を含むことを特徴とする熱伝達装置。
【請求項５】
（ａ）中心軸線を有する環の少なくとも一部を形成する、複数の磁気熱交換室を含む容器であって、各磁気熱交換室は熱伝導流体の流れを通す磁気熱量材料を備える、前記容器、
（ｂ）前記中心軸線の回りに少なくとも部分回転するように取り付けられた磁石であって、該磁石は、第１の回転位置で、比較的高い磁界強度が前記複数の磁気熱交換室の第１の磁気熱交換室を通過し、比較的低い磁界強度が該複数の磁気熱交換室の第２の磁気熱交換室を通過する磁界を形成し、前記磁石は、第２の回転位置で、比較的低い磁界強度を前記第１の磁気熱交換室に通し、比較的高い磁界強度を前記第２の磁気熱交換室に通す、前記磁石、及び、
（ｃ）流体の流れを前記第１の磁気熱交換室に結合する第１のポートと、流体の流れを前記第２の磁気熱交換室に結合する第２のポートと、共通ポートとを有するバルブであって、該バルブは、前記共通ポートと前記第１のポート及び第２のポートの一方又は両方との間で流体の流れを結合するよう調整可能である、前記バルブ、
を含むことを特徴とする熱伝達装置。
【請求項６】
（ａ）中心軸線を有する環の少なくとも一部を形成する、第１の磁気熱交換室及び第２の磁気熱交換室を含む容器であって、各磁気熱交換室は熱伝導流体の流れを通す磁気熱量材料を備える、前記容器を準備する段階と、
（ｂ）前記容器の少なくとも一部の周りを第１の磁石位置及び第２の磁石位置へ移動可能な磁石アセンブリであって、該磁石アセンブリは、第１の磁石位置で、比較的高い磁界強度を前記第１の磁気熱交換室に通し、比較的低い磁界強度を前記第２の磁気熱交換室に通し、第２の磁石位置で、比較的低い磁界強度を前記第１の磁気熱交換室に通し、比較的高い磁界強度を前記第２の磁気熱交換室に通す、前記磁石アセンブリを準備する段階と、
（ｃ）流体の流れを前記第１の磁気熱交換室に結合する第１のポートと、流体の流れを前記第２の磁気熱交換室に結合する第２のポートと、共通ポートとを有するバルブであって、該バルブは、第１のバルブ位置及び第２のバルブ位置に設定可能であり、該バルブは、前記共通ポートと前記第１のポート及び第２のポートの一方又は両方との間で流体の流れを結合するよう調整可能である、前記バルブを準備する段階と、
（ｄ）前記磁石アセンブリを前記第１の磁石位置へ移動させ、前記バルブを調整して該バルブの共通ポートと該バルブの第１のポートとの間で流体の流れを結合する段階と、
を含むことを特徴とする、熱を伝達させる方法。
【請求項７】
（ａ）中心軸線を有する環の少なくとも一部を形成する、第１の磁気熱交換室及び第２の磁気熱交換室を含む容器であって、各磁気熱交換室は熱伝導流体の流れを通す磁気熱量材料を備え、各磁気熱交換室は高温側及び低温側を備える、前記容器を準備する段階と、
（ｂ）前記容器の少なくとも一部の周りを第１の磁石位置及び第２の磁石位置へ移動可能な磁石アセンブリであって、該磁石アセンブリは、第１の磁石位置で、比較的高い磁界強度を前記第１の磁気熱交換室に通し、比較的低い磁界強度を前記第２の磁気熱交換室に通し、第２の磁石位置で、比較的低い磁界強度を前記第１の磁気熱交換室に通し、比較的高い磁界強度を前記第２の磁気熱交換室に通す、前記磁石アセンブリを準備する段階と、
（ｃ）熱伝導流体を準備する段階と、
（ｄ）前記磁石アセンブリを前記第１の磁石位置へ移動させる段階と、次いで、
（ｅ）前記第１の磁気熱交換室の低温側から該第１の磁気熱交換室の高温側に、該第１の磁気熱交換室の磁気熱量材料を通して前記熱伝導流体の第１の部分を流す一方、前記第２の磁気熱交換室の高温側から該第２の磁気熱交換室の低温側に、該第２の磁気熱交換室の磁気熱量材料を通して前記熱伝導流体の第２の部分を流す段階と、
を含むことを特徴とする、熱を伝達させる方法。